【手続補正書】
【提出日】平成19年12月11日(2007.12.11)
【手続補正１】
【補正対象書類名】明細書
【補正対象項目名】全文
【補正方法】変更
【補正の内容】
【書類名】  明細書
【発明の名称】  軸受用オイルストッパを用いたモータ
【特許請求の範囲】
【請求項１】
ロータに取り付けた回転軸を軸受で回転自在に支持するモータにおいて、
軸受ハウジングのロータに対向する端部には回転軸を囲繞するように永久磁石材料を含むオイルストッパが配され、前記軸受端部に対向するロータの領域は磁性材料を含み、前記オイルストッパと前記ロータの前記軸受端部に対向する領域が前記オイルストッパの磁力により引き合うことを特徴とする軸受用オイルストッパを用いたモータ。
【請求項２】
ロータに取り付けた回転軸を軸受で回転自在に支持するモータにおいて、
軸受ハウジングのロータに対向する端部には回転軸を囲繞するように磁性材料を含むオイルストッパが配され、前記軸受端部に対向するロータの領域は永久磁石材料を含み、前記オイルストッパと前記ロータの前記軸受端部に対向する領域が前記ロータの永久磁石材料の磁力により引き合うことを特徴とする軸受用オイルストッパを用いたモータ。
【請求項３】
ロータに取り付けた回転軸を軸受で回転自在に支持するモータにおいて、
軸受ハウジングのロータに対向する端部には回転軸を囲繞するように永久磁石材料を含むオイルストッパが配され、前記軸受端部に対向するロータの領域は永久磁石材料を含み、前記オイルストッパと前記ロータの前記軸受端部に対向する領域が互いの磁力により引き合うように磁極が向かい合っていることを特徴とする軸受用オイルストッパを用いたモータ。
【請求項４】
前記オイルストッパはフッ素系のオイルバリヤ処理が施されていることを特徴とする請求項１乃至３のいずれか１項に記載の軸受用オイルストッパを用いたモータ。
【発明の詳細な説明】
【０００１】
【発明の属する技術分野】
本発明は、ＣＤ、ＤＶＤ、プリンタや複写機といった情報や画像等を扱う機器に使用される部品やその部品を用いたモータに関するものである。
【０００２】
【従来の技術】
ＣＤやＤＶＤでは、音楽情報や画像情報が表面に担持された円盤状のメディアをモータにより回転させ、メディアに近接して設けられたピックアップにより、情報に応じた信号を取り出し、音声や映像に変換している。メディアはターンテーブルに脱着自在に載置され、ターンテーブルは、通常、モータの回転軸の一端に嵌挿されて一体となっているので、モータに通電するとメディアはターンテーブルと一体になって、高速で回転駆動される。
そして、メディアやターンテーブルは一般に合成樹脂により作られるので、メディアは、板状に成形するときやその回転中心にターンテーブル取付用の孔を打ち抜くとともに円盤状に形成するとき、その面方向の重心位置は回転中心からずれる恐れがあり、またメディアを載置するターンテーブルも、同様にして、その面方向の重心位置が回転中心からずれる恐れがある。
【０００３】
いずれにしても、このように回転中心と重心位置とが一致していない重心ズレのメディアやターンテーブルが高速で回転駆動されると、その回転軸方向や面方向に振動が発生し、メディアに担持された情報に応じた正確な信号が取り出せなくなる。
そこで、通常、モータの回転軸を鋼などの磁性材料で作り、回転軸の一端にターンテーブルを挿通するとともに、回転軸の他端をハウジングの対応箇所に設けた永久磁石で吸引し、ターンテーブルが高速で回転駆動されたとき、強制的に振動を抑制するようにしている。
【０００４】
【発明が解決しようとする課題】
しかし、回転軸の端部はスラスト軸受により支承され、さらにスラスト軸受が永久磁石を介してハウジングの一部に取り付けられるので、回転軸方向の長さはそれだけ長くなり、小型化を阻害することになる。
また、軸受に含油されたオイルは、回転軸が高速で回転駆動されると周辺に飛散するので、その飛散をオイルストッパにより防止するものもあるが、オイルストッパが回転軸に沿って軸受に設けられると、これも、回転軸方向の長さを長くするので、ますます小型化に支障を来すことになる。
そこで、本発明の目的は、ターンテーブルの高速回転時に発生する振動を強制的に抑制するものであり、別の目的としては、オイルの飛散を防止し、そして小型化が図れるようにするものである。
【０００５】
【課題を解決するための手段】
本発明は、ロータに取り付けた回転軸を軸受で回転自在に支持するモータにおいて、軸受ハウジングのロータに対向する端部には回転軸を囲繞するように永久磁石材料を含むオイルストッパが配され、前記軸受端部に対向するロータの領域は磁性材料を含み、前記オイルストッパと前記ロータの前記軸受端部に対向する領域が前記オイルストッパの磁力により引き合うことを特徴とするものである。
また本発明は、ロータに取り付けた回転軸を軸受で回転自在に支持するモータにおいて、軸受ハウジングのロータに対向する端部には回転軸を囲繞するように磁性材料を含むオイルストッパが配され、前記軸受端部に対向するロータの領域は永久磁石材料を含み、前記オイルストッパと前記ロータの前記軸受端部に対向する領域が前記ロータの永久磁石材料の磁力により引き合うことを特徴とするものである。
また本発明は、ロータに取り付けた回転軸を軸受で回転自在に支持するモータにおいて、軸受ハウジングのロータに対向する端部には回転軸を囲繞するように永久磁石材料を含むオイルストッパが配され、前記軸受端部に対向するロータの領域は永久磁石材料を含み、前記オイルストッパと前記ロータの前記軸受端部に対向する領域が互いの磁力により引き合うように磁極が向かい合っていることを特徴とするものである。
さらに本発明は、前記オイルストッパはフッ素系のオイルバリヤ処理が施されていることを特徴とするものである。
本発明によれば、オイルストッパに磁性特性を持たせたので、長さが長くならない軸受が得られ、また、この軸受を用いて小型化が図れるモータを組み立てることができる。
【０００６】
【発明の実施の形態】
図１は本発明に係る第１の実施形態を示すモータの要部断面図である。なお、ここでは、回転軸を出力端としたブラシレスモータとして説明する。同図において、金属製のベース１に含油した軸受ハウジング２が植設され、軸受ハウジング２の内周には軸受３が圧入等によって嵌挿され、軸受３によって回転軸４が回転自在に軸支される。回転軸４の一端は出力端となり、この出力端にメディアを載置するターンテーブル５が取り付けられ、回転軸４の他端はスラスト軸受６により軸方向の移動が規制されている。スラスト軸受６は底板７に固着され、底板７は軸受ハウジング２の底部にネジ込みまたは圧入等によって嵌着される。ステータコイル８は軸受ハウジング２の外周に固定して設けられ、ロータ９は回転軸４に固着される。ロータ９は磁性体からなる一方を切り欠いた中空円筒からなり、その開放端側内周にリングマグネット１０がステータコイル８と対向して圧入または接着等によって固定される。
【０００７】
さらに、永久磁石材料を含むオイルストッパ１１が、軸受ハウジング２のロータに対向する内周に、回転軸４に対して僅かに間隙を保って、圧入や接着等により固着される。なお、オイルストッパ１１は、永久磁石材料および合成樹脂材料の各微粉末を所定条件にて成形し、またハウジング２の一部としての軸受３に固着してもよい。そこで、ハウジング部２，軸受３を総称して軸受ということにした。
このように構成されたモータは、図示しない制御装置によってステータコイル８に電力が供給されると、ステータコイルに対向するリングマグネット１０が吸引・反発されてロータ９が回転駆動され、回転軸４と一体になったターンテーブル５も回転駆動されることになる。
そして、回転軸４が高速に回転駆動されると、ターンテーブル５に重心ズレがあっても、軸受ハウジング２に固着された永久磁石材料を含むオイルストッパ１１が、ロータ９のオイルストッパ１１に対向する領域を磁気吸引し、ロータ９が固着された回転軸４をスラスト軸受６の方向に吸引していることになるので、回転軸４は軸心方向からブレることなく、高速回転を続ける。したがって、ターンテーブル５は振動を抑制されて、高速回転することになる。なお、ロータはオイルストッパに対向する領域のみを磁性体の特性を有する領域としても同様の作用が得られる。
また、回転軸４が高速回転すると、軸受３から含油していたオイルが回転軸４を伝って飛散しようとするが、オイルストッパ１１によって阻止される。
【０００８】
図２は、本発明に係る第２の実施形態を示す要部断面図である。この実施形態では、円盤状に形成した磁性体１２をロータ９の回転軸４周辺に接着等で固着し、オイルストッパ１１に対向配置している。したがって、ロータ９は、磁性体でなくともよいので、回転体として適切な材料を適切な厚さにして構成することが可能となる。その他の要素は図１に示す第１の実施形態と同じ構成になっている。なお、磁性体１２は、ハウジング２に固着した永久磁石を含むオイルストッパ１１に対し、面方向寸法を大きくしておくと、この永久磁石による吸引力を有効に利用できる。
【０００９】
図３は、本発明に係る第３の実施形態を示す要部断面図である。この実施形態では、ハウジング２に永久磁石を含むオイルストッパ１３を固着し、円盤状に形成した永久磁石１４をロータ９の回転軸４の周辺に接着等で固着し、このオイルストッパ１３に対向配置している。したがって、ロータ９は、磁性体でなくともよいので、回転体として適切な材料を適切な厚さにして構成することが可能となり、さらに、オイルストッパ１３も磁性体であればよいので、オイルストッパとして特性を発揮しうる材料選定が容易になる。その他の要素は図１に示す第１の実施形態と同じ構成となっている。
【００１０】
また、各実施形態は、回転軸を出力端としたブラシレスモータとして説明したが、固定軸であっても、ブラシ付モータであっても、本願発明と同様に構成することができる。
そして、オイルストッパにフッ素系撥油剤を含ませると、オイルストッパとして軸受から滲出するオイルの飛散を防止する効果が増大し得る。
【００１１】
【発明の効果】
本発明による軸受用オイルストッパ、このストッパを用いた軸受およびモータは、前述の如く構成したので、磁性特性を持たせたオイルストッパにより長さが規制された軸受が得られ、また、この軸受を用いて小型化が図れるモータを組み立てることができる。
具体的には、次の如き効果が得られる。
ロータを磁性体の特性を有する金属製とし、オイルストッパに永久磁石材料を含ませると、ロータはオイルストッパ側に吸引されるので、特別な吸引手段が不要となる。
ロータの一部に磁性体または永久磁石を固着すると、ロータはオイルストッパ側に吸引されるので、特別な吸引手段が不要となり、回転体として適切な材料を適切な厚さにして構成することが可能となる。
【図面の簡単な説明】
【図１】
第１の実施形態を示すモータの要部断面図である。
【図２】
第２の実施形態を示す要部断面図である。
【図３】
第３の実施形態を示す要部断面図である。
【符号の説明】
９  ロータ
１１、１３  オイルストッパ
１２  磁性体
１４  永久磁石